(57)【要約】【課題】端子金具を二重係止することが可能であり、端子金具の挿入作業性を向上させることが可能なコネクタを提供する。【解決手段】係止部材６０は、ハウジング２０の装着孔２５に挿入され、ハウジング２０に対して仮係止位置と本係止位置との間を移動可能とされる。係止部材６０は、仮係止位置では、キャビティ２１内に挿入される端子金具８０と干渉して撓み変形させられ、キャビティ２１内に端子金具８０が正規挿入されるに伴い、復帰方向に弾性変位して第１被係止部７１に係止可能に配置され、本係止位置では、第１被係止部７１に対してより大きな係止代をもって係止可能に配置される第１係止部６８と、仮係止位置では、端子金具８０の挿入経路３０から退避して端子金具８０と干渉せず、本係止位置では、端子金具８０の挿入経路３０に進入して、第２被係止部７２に係止可能に配置される撓み不能な第２係止部４３とを有している。【選択図】図１
2014207070.tif 000002
【特許請求の範囲】
【請求項１】
第１被係止部及び第２被係止部を有する端子金具と、
前記端子金具が挿入されるキャビティを有するとともに、前記キャビティと交差連通して外面に開口する装着孔を有するハウジングと、
前記装着孔に挿入され、前記ハウジングに対して仮係止位置とこの仮係止位置より深く挿入される本係止位置との間を移動可能な係止部材とを備え、
前記係止部材は、
前記仮係止位置では、前記キャビティ内に挿入される前記端子金具と干渉して撓み変形させられ、前記キャビティ内に前記端子金具が正規挿入されるに伴い、復帰方向に弾性変位して前記第１被係止部に係止可能に配置され、前記本係止位置では、前記第１被係止部に対してより大きな係止代をもって係止可能に配置される第１係止部と、
前記仮係止位置では、前記端子金具の挿入経路から退避して前記端子金具と干渉せず、前記本係止位置では、前記端子金具の挿入経路に進入して、前記第２被係止部に係止可能に配置される撓み不能な第２係止部と、
を有していることを特徴とするコネクタ。
【請求項２】
前記キャビティ内に前記端子金具が正規挿入されずに半挿入位置に留め置かれた場合に、その半挿入位置にある前記端子金具に前記第２係止部が干渉することで、前記係止部材の前記本係止位置への移動が規制されることを特徴とする請求項１記載のコネクタ。
【請求項３】
前記第１被係止部が前記端子金具の幅方向中央側に配置され、前記第２被係止部が前記端子金具の幅方向両端側に配置されていることを特徴とする請求項１又は２記載のコネクタ。
【請求項４】
前記ハウジングのうち、前記端子金具の挿入方向先方に位置する前壁には、前記端子金具に接続される相手端子金具の雄タブが挿入されるタブ挿入孔が設けられているとともに、前記タブ挿入孔の外周に、前記雄タブを前記タブ挿入孔に誘い込むテーパ状の誘い込み面が設けられ、前記係止部材が前記本係止位置にあるときに、前記誘い込み面と前記第１係止部とが高さ方向で互いに重なる位置に配置されていることを特徴とする請求項１ないし３のいずれか１項記載のコネクタ。
【請求項５】
前記ハウジングの前記前壁には、前記係止部材が前記仮係止位置にあるときに、前記第１係止部を撓み方向に変位させる係止解除治具を通すための治具通し孔が設けられていることを特徴とする請求項４記載のコネクタ。
【発明の詳細な説明】
【技術分野】
【０００１】
本発明は、コネクタに関する。
【背景技術】
【０００２】
特許文献１に開示のコネクタは、端子金具を挿入可能な端子収納部（キャビティ）を有するとともに端子収納部と交差連通して上面に開口する第１、第２の係止部材収容孔を有するハウジングと、第１、第２の係止部材収容孔にそれぞれ挿入される第１、第２の係止部材とを備えている。第１、第２の係止部材は、ヒンジを介して互いに連結されている。第１の係止部材は、第１の係止部材収容孔への挿入時に、ハウジング側の端子収納部と連通する端子収納部を有し、この端子収納部には、撓み可能なランスが突出して設けられている。また、第２の係止部材は、第２の係止部材収容孔への挿入時に、ハウジング側の端子収納部と連通する端子収納部を有し、この端子収納部には、二重係止部が固設されている。
【０００３】
ここで、第１の係止部材は、第１の係止部材収容孔にワンアクションで完全装着位置に到達し、第２の係止部材は、第２の係止部材収容孔に第１の装着位置からそれより深い第２の装着位置へとツーアクションで至るように構成されている。
【０００４】
第１の係止部材が完全装着位置にあり、第２の係止部材が第１の装着位置にある場合に、端子収納部に端子金具が挿入されると、挿入過程の端子金具がランスと干渉して、ランスが撓み変形させられ、その後、端子金具が正規装着位置に至ると、ランスが弾性復帰して端子金具に係止可能に配置される。このとき、第２の係止部材の二重係止部は、端子金具の挿入経路から退避して配置され、端子金具とは接触しない。次に、第２の係止部材が第２の装着位置に押し込まれると、二重係止部が端子金具の箱部後端に係止可能に配置される。これにより、端子金具は、ランスと二重係止部とにより二重に係止され、端子収納部から端子金具が不用意に抜け出るのが防止されるようになっている。
【先行技術文献】
【特許文献】
【０００５】
【特許文献１】特開２００２−２３１３６４号公報
【発明の概要】
【発明が解決しようとする課題】
【０００６】
上記によれば、端子金具を二重係止することが可能となるものの、端子金具が挿入過程でランスと干渉したときに、完全装着位置にて比較的大きな係止高さをもったランスを、少なくともその係止高さに相当する分、撓み変形させる必要があるため、端子金具の挿入抵抗が大きくなり、作業性が必ずしも良くないという事情がある。
【０００７】
本発明は上記のような事情に基づいて完成されたものであって、端子金具を二重係止することが可能であり、端子金具の挿入作業性を向上させることが可能なコネクタを提供することを目的とする。
【課題を解決するための手段】
【０００８】
本発明は、第１被係止部及び第２被係止部を有する端子金具と、前記端子金具が挿入されるキャビティを有するとともに、前記キャビティと交差連通して外面に開口する装着孔を有するハウジングと、前記装着孔に挿入され、前記ハウジングに対して仮係止位置とこの仮係止位置より深く挿入される本係止位置との間を移動可能な係止部材とを備え、前記係止部材は、前記仮係止位置では、前記キャビティ内に挿入される前記端子金具と干渉して撓み変形させられ、前記キャビティ内に前記端子金具が正規挿入されるに伴い、復帰方向に弾性変位して前記第１被係止部に係止可能に配置され、前記本係止位置では、前記第１被係止部に対してより大きな係止代をもって係止可能に配置される第１係止部と、前記仮係止位置では、前記端子金具の挿入経路から退避して前記端子金具と干渉せず、前記本係止位置では、前記端子金具の挿入経路に進入して、前記第２被係止部に係止可能に配置される撓み不能な第２係止部と、を有しているところに特徴を有する。    
【発明の効果】
【０００９】
係止部材が仮係止位置にあるときには、係止部材の第１係止部が端子金具の第１被係止部に対して本係止位置のときよりも小さい係止高さで係止可能に配置されるため、キャビティ内に端子金具が挿入される過程で、端子金具が第１係止部と干渉したときに撓み変形させられる第１係止部の撓み量を比較的小さく抑えることができる。また、端子金具は挿入過程で第２係止部と干渉することはない。したがって、端子金具の挿入抵抗を低減することができ、ひいては端子金具の挿入作業性を向上させることができる。
【００１０】
一方、係止部材が本係止位置にあるときには、係止部材の第１係止部が端子金具の第１被係止部に対して比較的大きい係止高さで係止可能に配置されるとともに、係止部材の第２係止部が端子金具の第２被係止部に対して係止可能に配置されるため、端子金具が二重係止された状態でキャビティ内に確実に抜け止めされる。
【図面の簡単な説明】
【００１１】
【図１】本発明の実施例１のコネクタにおいて、係止部材が仮係止位置に留め置かれた状態をあらわす側面視方向の断面図である。
【図２】係止部材が本係止位置に留め置かれた状態をあらわす側面視方向の断面図である。
【図３】係止部材が仮係止位置に留め置かれ、第２係止部が第２被係止部の下方に位置する状態をあらわす正面視方向の断面図である。
【図４】係止部材が本係止位置に留め置かれ、第２係止部が第２被係止部に係止可能に配置された状態をあらわす正面視方向の断面図である。
【図５】端子金具の側面図である。
【図６】端子金具の底面図である。
【図７】係止部材の側面視方向の断面図である。
【図８】係止部材の正面視方向の断面図である。
【図９】係止部材の平面視方向の断面図である。
【発明を実施するための形態】
【００１２】
本発明の好ましい形態を以下に示す。
前記キャビティ内に前記端子金具が正規挿入されずに半挿入位置に留め置かれた場合に、その半挿入位置にある前記端子金具に前記第２係止部が干渉することで、前記係止部材の前記本係止位置への移動が規制される。これにより、端子金具が正規挿入されないことには、係止部材が本係止位置に至らないため、端子金具が半挿入位置に留め置かれたまま放置される事態が回避される。
【００１３】
前記第１被係止部が前記端子金具の幅方向中央側に配置され、前記第２被係止部が前記端子金具の幅方向両端側に配置されている。これにより、係止部材に対する端子金具の係止領域が実質的に幅方向の略全域に亘って確保されるため、端子金具がキャビティ内で幅方向に傾きにくくなり、端子金具の挿入姿勢を安定して維持することができる。
【００１４】
前記ハウジングのうち、前記端子金具の挿入方向先方に位置する前壁には、前記端子金具に接続される相手端子金具の雄タブが挿入されるタブ挿入孔が設けられているとともに、前記タブ挿入孔の外周に、前記雄タブを前記タブ挿入孔に誘い込むテーパ状の誘い込み面が設けられ、前記係止部材が前記本係止位置にあるときに、前記誘い込み面と前記第１係止部とが高さ方向で互いに重なる位置に配置されている。これにより、コネクタの高背化を抑えることができる。なお、本構成と違って、第１係止部がハウジングに一体に設けられている場合に、誘い込み面と第１係止部とを高さ方向で重なる位置に配置しようとすると、成形用金型の型抜き構造の複雑化を伴うため、実用的ではないという背景事情がある。
【００１５】
前記ハウジングの前記前壁には、前記係止部材が前記仮係止位置にあるときに、前記第１係止部を撓み方向に変位させる係止解除治具を通すための治具通し孔が設けられている。本構成のように、第１係止部が係止部材の移動に伴い変位するものであれば、誘い込み面に加えて治具通し孔も格別設計上の制約を受けることなく設置可能となる。
【００１６】
＜実施例１＞
本発明の実施例１を図１〜図９によって説明する。実施例１のコネクタ１０は、ハウジング２０と、ハウジング２０に組み付けられる係止部材６０と、ハウジング２０に収容される端子金具８０とを備えている。ハウジングは、相手コネクタと嵌合される。なお、以下の説明において前後方向については、相手コネクタとの嵌合側を前方とする。
【００１７】
ハウジング２０は合成樹脂製であって全体としてブロック状をなし、前方（図１の左側）から接近する相手ハウジング（図示せず）に嵌合可能とされている。図１及び図２に示すように、ハウジング２０には、複数のキャビティ２１が前後方向に延出して形成されている。各キャビティ２１は、幅方向に横並びで配置されている。各キャビティ２１内には、後方から端子金具８０が挿入される。
【００１８】
また、ハウジング２０には、各キャビティ２１の前端（端子金具８０の挿入方向先端）を、後述するタブ挿入孔２３を除いて閉塞する前壁２２が設けられている。前壁２２には、相手ハウジングに装着された相手端子金具９０の雄タブ９１（図２を参照）を案内して挿入可能なタブ挿入孔２３が前後方向に延出して形成されている。そして、前壁２２の前面におけるタブ挿入孔２３の外周には、雄タブ９１をタブ挿入孔２３に誘い込むための誘い込み面２４が前方へ向けて拡開して形成されている。詳しくは図示しないが、誘い込み面２４は、タブ挿入孔２３の外周を全周に亘って取り囲むように設けられている。
【００１９】
また、ハウジング２０には、前後方向と交差する高さ方向（図１、図２の上下方向）に延出して各キャビティ２１と略直角に連通するとともに外面（下面）に開口する装着孔２５が形成されている。装着孔２５には、下方から係止部材６０が挿入される。さらに、ハウジング２０には、前壁２２における誘い込み面２４より下方の位置から装着孔２５にかけて前後方向に延びる治具通し孔２６が形成されている。治具通し孔２６には、前方から後述する第１係止部６８の係止状態を解除するための係止解除治具（図示せず）が挿入されるようになっている。
【００２０】
端子金具８０は導電性の金属板を曲げ加工等して成形され、図５及び図６に示すように、全体として前後方向に細長い形態とされている。具体的には、端子金具８０は、前後方向に長い角筒状の本体部８１と、本体部８１の後方に連なるオープンバレル状のワイヤバレル８２と、ワイヤバレル８２の後方に連なるオープンバレル状のインシュレーションバレル８３とを有している。図５に示すように、ワイヤバレル８２は、電線５０の前端部において被覆５１の除去により露出する芯線５２に圧着により接続され、インシュレーションバレル８３は、電線５０の前端部における被覆５１に圧着により接続されている。これにより、端子金具８０は、電線５０に電気的及び機械的に接続されるようになっている。
【００２１】
図３に示すように、本体部８１は、断面四角形状をなし、幅方向に沿った底壁８４と、底壁８４の幅方向（前後方向及び高さ方向と交差する方向）両端から立ち上がる一対の側壁８５と、両側壁８５の上端間に架け渡される天井壁８６とで構成されている。底壁８４は、ワイヤバレル８２及びインシュレーションバレル８３に一体に連なっている。
【００２２】
図１に示すように、本体部８１の内部には、撓み可能な弾性接触片８７が設けられている。弾性接触片８７は、展開形状において本体部８１の底壁８４から前方に延出する部分を後方へ折り返してなり、その頂部に接点部８８を有している。また、本体部８１の天井壁８６には、弾性接触片８７の接点部８８と対向する位置に受け部８９が形成されている。弾性接触片８７が自然状態にあるときには、弾性接触片８７の接点部８８と受け部８９との高さ方向の離間距離は、雄タブ９１の板厚より小さくされている。ハウジング２０が相手ハウジングに嵌合されると、本体部８１の内部に前方から雄タブ９１が進入し、雄タブ９１が弾性接触片８７の接点部８８と受け部８９との間に弾性的に挟まれることで、両端子金具８０、９０が電気的に接続されるようになっている。
【００２３】
また、図６に示すように、本体部８１の底壁８４の幅方向中央部には、第１被係止部７１が貫通して形成されている。第１被係止部７１は、底壁８４の幅方向中央部に、底面視において前後方向に長い矩形状に開口する形態とされ、係止部材６０の第１係止部６８と係止可能とされている。さらに、本体部８１の底壁８４の幅方向両端部には、第１被係止部７１よりも後方に、一対の第２被係止部７２が貫通して形成されている。第２被係止部７２は、図３に示すように、本体部８１の底壁８４と側壁８５とに跨って開口する形態とされ、詳しくは、図６に示すように、底壁８４の幅方向両端部に、底面視において前後方向に長い矩形状に開口するとともに、図５に示すように、側壁８５の下端部に、側面視において前後方向に長い矩形状に開口する形態とされている。第２被係止部７２は、係止部材６０の後述する第２係止部４３と係止可能とされている。なお、実施例１の場合、第１被係止部７１は、本体部８１の前後方向略中央部に設けられ、第２被係止部７２は、本体部８１の後端部に設けられている。
【００２４】
続いて、係止部材６０について説明する。係止部材６０は合成樹脂製であって、ハウジング２０の装着孔２５に適合して嵌合可能なサイズ及び形状で構成されている。そして、係止部材６０は、ハウジング２０に対し、装着孔２５に比較的浅く挿入される仮係止位置（図１を参照）と、装着孔２５に比較的深く挿入される本係止位置（図２を参照）との間を高さ方向に移動可能とされている。なお、図示はしないが、係止部材６０には、この係止部材６０をハウジング２０に対して仮係止位置及び本係止位置に移動規制状態に保持するための係止手段が設けられている。
【００２５】
図１及び図２に示すように、係止部材６０には、ハウジング２０に装着された状態で各キャビティ２１と連通する端子挿入孔６１が横並びで形成されている。図８に示すように、各端子挿入孔６１は、全周に亘って壁部６２に取り囲まれている。図７に示すように、壁部６２の下壁には、高さ方向の段差面６３が形成され、壁部６２の下壁のうち、段差面６３を境とする前方に位置する前部６４は、後方に位置する後部６５に比べて薄肉とされている。この薄肉とされた前部６４には、段差面６３と略直角に連なる端子挿入孔６１の内底面６６が形成され、内底面６６の前端には、前方へ向けて下り勾配で傾斜する斜面部６７が形成されている。斜面部６７は、第１係止部６８が撓み変形した場合に、第１係止部６８から逃げる形状になっている。なお、後部６５の前後長は、前部６４の前後長よりも短くされている。
【００２６】
図８及び図９に示すように、係止部材６０の下壁における段差面６３の幅方向中央部には、第１係止部６８が突出して形成されている。図７に示すように、第１係止部６８の基端部６９は、段差面６３から内底面６６に跨る範囲に一体に連結され、第１係止部６８は、基端部６９を中心として高さ方向に撓み変形可能とされている。具体的には、第１係止部６８は、基端部６９から斜め上前方に延出する係止本体４１と、係止本体４１の前面を構成し、自然状態では上方へ向けてやや前側に傾斜する第１係止面４２と、係止本体４１の前端下部にて前方に突出する突片４５とを有している。図１及び図２に示すように、係止部材６０が仮係止位置及び本係止位置にあるとき、第１係止部６８の第１係止面４２は、端子金具８０の第１被係止部７１の前端縁に対向して配置されるようになっている。
【００２７】
また、図８及び図９に示すように、係止部材６０の下壁における後部６５の幅方向両端部には、一対の第２係止部４３が固設されている。各第２係止部４３は、後部６５の前後方向の全長に亘って延びる撓み不能なリブ状の形態とされ、その延出方向に沿って壁部６２の両側壁に一体に連結されている。また、各第２係止部４３は、正面視において第１係止部６８と重ならないように幅方向にずれて配置されている。第２係止部４３の前端は、段差面６３と面一で連なる上下方向に沿った第２係止面４４とされている。図２に示すように、係止部材６０が本係止位置にあるとき、第２係止部４３の第２係止面４４は、端子金具８０の第２被係止部７２の前端縁に対向して配置されるようになっている。なお、第２係止部４３の前後長は、第２被係止部７２の前後長よりも少し短くされている。
【００２８】
次に、ハウジング２０に端子金具８０を収容する作業及び作用効果について説明する。
まず、ハウジング２０の装着孔２５に下方から係止部材６０を挿入し、係止部材６０を仮係止位置に留め置く。仮係止位置では、第２係止部４３の上端がキャビティ２１の下面と同じ高さ位置か又は若干低い位置に配置され、つまり、第２係止部４３は端子金具８０の挿入経路３０（キャビティ２１と同軸の経路）から退避して配置される（図１を参照）。一方、仮係止位置では、第１係止部６８の上端がキャビティ２１の下面よりも上方に配置される。具体的には、第１係止部６８の上部が端子金具８０の挿入経路３０に臨み、第１係止部６８の下部が端子金具８０の挿入経路３０から退避して治具通し孔２６に臨むように配置される。より具体的には、第１係止面４２の略上半部が端子金具８０の挿入経路３０に臨み、第１係止面４２の略下半部が治具通し孔２６に臨むように配置される。さらに、仮係止位置では、係止部材６０の下端がハウジング２０の下面より下方に突出して配置される。
【００２９】
続いて、ハウジング２０のキャビティ２１内に後方から端子金具８０を挿入する。このとき、端子金具８０には予め電線５０を接続しておく。端子金具８０の挿入過程では、本体部８１の底壁８４の前端部が第１係止部６８と干渉して、第１係止部６８が下方へ撓み変形させられる。この場合、第１係止部６８の撓み量は、後述する仮係止位置における第１係止部６８の係止高さ（本体部８１の内部に進入する本体部８１の進入高さ）に相当する分に過ぎないため、端子金具８０の挿入抵抗が格別大きくなることはない。一方、端子金具８０は、第２係止部４３とは干渉せずに通過する（図３を参照）。
【００３０】
図１に示すように、端子金具８０が正規挿入位置に至ると、本体部８１の前端がハウジング２０の前壁２２に当て止めされてそれ以上の前進が規制される。また、第１係止部６８が復帰方向に変位してほぼ自然状態に戻り、第１係止部６８の上部が端子金具８０の第１被係止部７１に進入して、第１係止面４２の上部が第１被係止部７１の前端縁に係止可能に配置される。この場合、第１係止部６８の係止高さは、係止部材６０が本係止位置にある後述の場合に比べ、小さく抑えられ、第１被係止部７１に対する第１係止部６８のせん断面積は、比較的小さくなる。
【００３１】
続いて、係止部材６０を押し上げて本係止位置に至らす。図２に示すように、係止部材６０が本係止位置に達すると、係止部材６０の下端がハウジング２０の下面とほぼ面一に揃えられる。また、本係止位置では、第１係止部６８が本体部８１内に深く挿入されて、第１係止面４２の下部が第１被係止部７１の前端縁に係止可能に配置される。この場合、第１係止部６８の係止高さは、上記仮係止位置の場合に比べ、係止部材６０の移動量の分、大きく確保され、第１被係止部７１に対する第１係止部６８のせん断面積も大きく確保される。さらに、本係止位置では、図２及び図４に示すように、第２係止部４３が第２被係止部７２に嵌合して、第２係止面４４の上部が第２被係止部７２の前端縁に係止可能に配置される。したがって、仮に、電線５０が引っ張られる等して、端子金具８０に後方への引き抜き力が作用しても、第１被係止部７１が第１係止部６８に係止されるとともに、第２被係止部７２が第２係止部４３に係止されることにより、端子金具８０がキャビティ２１の後方に抜け出るのが防止される。
【００３２】
なお、図１及び図２に示すように、係止部材６０が仮係止位置及び本係止位置のいずれの位置にあっても、第１係止部６８の前方には前壁２２が対向して配置され、高さ方向に関して、誘い込み面２４の下辺部２４Ａと第１係止部６８の第１係止面４２とが互いに重なる位置に配置される。
【００３３】
一方、端子金具８０がキャビティ２１内に正規挿入されず、半挿入位置に留め置かれた場合には、仮係止位置にある係止部材６０を本係止位置に押し込もうとしても、第２係止部４３が端子金具８０の底壁８４の下面に突き当たることで、係止部材６０のそれ以上の押し込みが規制される。したがって、係止部材６０の本係止位置への移動が阻止されることをもって、端子金具８０が半挿入状態にあることを知ることができる。この場合は、端子金具８０をキャビティ２１内により深く挿入した後、改めて係止部材６０を本係止位置に押し込むようにすればよい。
【００３４】
また、メンテナンス等の事情により、端子金具８０を抜き取る際には、係止部材６０をいったん仮係止位置に引き戻し、治具通し孔２６に前方から係止解除治具を挿入して、係止解除治具の先端部を第１係止部６８の突片４５に押し当てて、第１係止部６８を下方へ撓み変形させる。すると、第１係止部６８が第１被係止部７１から解離して第１被係止部７１との係止状態が解除される。また、係止部材６０を仮係止位置に引き戻したときに、第２係止部４３と第２被係止部７２との係止状態も既に解除されている。したがって、第１係止部６８を撓ませた状態を維持したまま、端子金具８０又は電線５０を後方へ引っ張ることにより、端子金具８０をキャビティ２１外に引き抜くことが可能となる。
【００３５】
以上説明したように、実施例１によれば、係止部材６０が仮係止位置にあるときには、係止部材６０の第１係止部６８が端子金具８０の第１被係止部７１に対して本係止位置のときよりも小さい係止高さで係止可能とされるため、キャビティ２１内に端子金具８０が挿入される過程で、端子金具８０が第１係止部６８と干渉したときに撓み変形させられる第１係止部６８の撓み量を比較的小さく抑えることができる。また、端子金具８０は挿入過程で第２係止部４３と干渉することもない。したがって、端子金具８０の挿入抵抗を低減することができ、ひいては端子金具８０の挿入作業性を向上させることができる。
【００３６】
一方、係止部材６０が本係止位置にあるときには、係止部材６０の第１係止部６８が端子金具８０の第１被係止部７１に対して比較的大きい係止高さで係止可能に配置されるとともに、係止部材６０の第２係止部４３が端子金具８０の第２被係止部７２に対して係止可能に配置されるため、端子金具８０が二重係止された状態でキャビティ２１内に確実に抜け止めされることとなる。
【００３７】
また、端子金具８０が半挿入位置で留め置かれると、係止部材６０の本係止位置への移動が阻止されるため、端子金具８０が半挿入位置に留め置かれたまま放置される事態が回避される。
【００３８】
さらに、第１被係止部７１が端子金具８０の幅方向中央部に配置され、第２被係止部７２が端子金具８０の幅方向両端部に配置されているため、係止部材６０に対する端子金具８０の係止領域が実質的に幅方向の略全域に亘って確保されることとなる。その結果、端子金具８０がキャビティ２１内で幅方向に傾きにくくなり、端子金具８０の挿入姿勢が安定して維持される。
【００３９】
さらにまた、係止部材６０が高さ方向に移動するのに伴い、第１係止部６８も高さ方向に変位するため、ハウジング２０に誘い込み面２４と治具通し孔２６とを高さ方向に近接する位置に配置させることが可能となり、コネクタ１０の高背化を効果的に抑えることができる。また、ハウジング２０の設計上の自由度を高めることができる。
【００４０】
＜他の実施例＞
本発明は上記記述及び図面によって説明した実施例に限定されるものではなく、例えば次のような態様も本発明の技術的範囲に含まれる。
（１）係止部材が仮係止位置から本係止位置にかけて下方に移動させられ、本体部の天井壁に第１被係止部が貫設され、本体部の後端が第２被係止部として機能する構成であってもよい。
（２）第１被係止部が孔状では無くて突起状に形成され、第２被係止部も孔状では無くて突起状に形成されるものであってもよい。要は、第１被係止部及び第２被係止部は、係止部材に係止され得る形状であればよい。
（３）第１被係止部は、端子金具の幅方向中央に正確に配置される必要はなく、幅方向中央側であれば、多少片側に片寄る位置に配置されるものであってもよい。
（４）端子金具は、前方に雄タブを突成させた雄型の端子金具であってもよい。
（５）本発明は、キャビティが上下方向に複数並んで配置される多段のキャビティを有するコネクタにも適用可能である。
【符号の説明】
【００４１】
１０…コネクタ
２０…ハウジング
２１…キャビティ
２２…前壁
２３…タブ挿入孔
２４…誘い込み面
２５…装着孔
２６…治具通し孔
３０…挿入経路
４３…第２係止部
５０…電線
６０…係止部材
６８…第１係止部
７１…第１被係止部
７２…第２被係止部
８０…端子金具
８１…本体部
９０…相手端子金具
９１…雄タブ
【図１】
2014207070.tif 000003
【図２】
2014207070.tif 000004
【図３】
2014207070.tif 000005
【図４】
2014207070.tif 000006
【図５】
2014207070.tif 000007
【図６】
2014207070.tif 000008
【図７】
2014207070.tif 000009
【図８】
2014207070.tif 000010
【図９】
2014207070.tif 000011